(57)【要約】【課題】廃棄処理を容易とする動物用敷料を提供する。【解決手段】  動物用敷料は、動物の飼育に用い、加水分解処理により分解される。この加水分解処理後に、加水分解されない不溶性物質の含有量が２０質量％以下となる。また、加水分解処理により加水分解されるパルプを含有する。このパルプの含有量は、絶乾重量に対して８０％以上である。また、この加水分解処理が、酵素による加水分解の処理である。この酵素は、例えば、セルラーゼを用いることができ、絶乾重量１ｇに対して前記セルラーゼが５〜４０ＦＰＵ添加されることで加水分解される。【選択図】なし【特許請求の範囲】
【請求項１】
動物の飼育に用いる動物用敷料であって、
加水分解処理により分解される
ことを特徴とする動物用敷料。
【請求項２】
前記加水分解処理後に、加水分解されない不溶性物質の含有量が２０質量％以下となる
ことを特徴とする請求項１に記載の動物用敷料。
【請求項３】
前記加水分解処理により加水分解されるパルプを含有する
ことを特徴とする請求項１又は２に記載の動物用敷料。
【請求項４】
前記パルプの含有量が、絶乾重量に対して８０％以上である
ことを特徴とする請求項３に記載の動物用敷料。
【請求項５】
前記加水分解処理が、酵素による加水分解の処理である
ことを特徴とする請求項１乃至４のいずれか１項に記載の動物用敷料。
【請求項６】
前記酵素がセルラーゼである
ことを特徴とする請求項５に記載の動物用敷料。
【請求項７】
絶乾重量１ｇに対して前記セルラーゼが５〜４０ＦＰＵ添加されることで加水分解される
ことを特徴とする請求項６に記載の動物用敷料。
【請求項８】
前記パルプは、アルカリ酸素脱リグニン処理されたクラフトパルプである
ことを特徴とする請求項３乃至７のいずれか１項に記載の動物用敷料。
【請求項９】
前記パルプは、アルカリ酸素脱リグニン処理され、漂白処理されたクラフトパルプである
ことを特徴とする請求項３乃至７のいずれか１項に記載の動物用敷料。
【請求項１０】
動物の飼育に用いる動物用敷料の廃棄処理方法であって、
前記動物用敷料を加水分解処理により分解する
ことを特徴とする動物用敷料の廃棄処理方法。
【発明の詳細な説明】
【技術分野】
【０００１】
本発明は、特に、動物の飼育に用いる動物用敷料及び動物用敷料の廃棄処理方法に関する。
【背景技術】
【０００２】
「敷料」は、牛、馬、豚等の比較的大型の家畜等の動物の床に敷きつめる畜産資材である。敷料は床を柔らかくして家畜の蹄等を保護し、家畜の負担を減らして、居心地をよくする。また、敷料は、家畜が排泄した際の排泄物の水分を吸収し、家畜の体に汚れが付着するのを防ぐ。また、敷料は保温性をもつ成分で構成され、畜舎内の環境を快適に保つ。従来の敷料としては、麦藁、オガ粉、紙屑等が使用されている。
ここで、従来の紙を用いた敷料の例として、特許文献１を参照すると、板紙及び／又はは貼合紙を縦横１〜５０ｍ／ｍの範囲の不定形状に破砕し、破砕片が密度０．１〜０．６ｇ／ｃｍ3の範囲内であることを特徴とした紙製敷料の技術が開示されている。
【０００３】
一方、近年、体内に授与した放射性同位体から放出される放射線を検出し、その分布を画像化したシンチグラフィー（核医学検査）が診断の為に使用されている。シンチグラフィーは、ヒトでは、腫瘍（がん）や各種臓器の機能診断等に使われる。
たとえば、特許文献２には、骨シンチグラフィーによる画像を画像診断支援装置に実行させるためのコンピュータプログラムが記載されている。
【０００４】
また、近年、我が国では、家畜に対するシンチグラフィーとして、特に、競技馬や競走馬を検査する「骨シンチグラフィー」技術が注目を浴びている。馬の骨シンチグラフィーは、レントゲン検査等では分からない微細な骨折箇所の特定に使用される。すなわち、馬に放射性同位体を含む薬剤を投与し、骨組織の表面に存在して新しい骨を作る働きをもつ骨芽細胞をマーキングすることで、微細な骨折箇所を特定することが可能である。
このような馬の骨シンチグラフィーは１９７７年に最初の報告があり、現在では世界２４ヶ国（１００箇所以上）で導入されている。馬の骨シンチグラフィーの装置が最も普及しているのはアメリカ、イギリス、ドイツの順であり、ドイツでは５００件／年もの検査、診断が行われている。この技術により、競走馬や競技馬の異常を早期発見することで、馬の骨折事故を未然に防ぐ経済的損失回避の効果があるだけでなく、騎手や競技者の落馬事故を未然に防ぐことにもなり、人命を救う効果にもつながっている。
オリンピック等の大規模な馬術競技では、各国から選手とともに多くの競技馬が我が国を訪問することから、我が国滞在中の馬のシンチグラフィーが必要不可欠となる。これに対して、我が国では、２００８年に獣医療法施行規則が改正され、核医学検査に関する法整備は完了しているが、まだ実現には至っていなかった。
【先行技術文献】
【特許文献】
【０００５】
【特許文献１】特開２０００−６０３３６号公報
【特許文献２】特開２０１５−１０５８４１号公報
【発明の概要】
【発明が解決しようとする課題】
【０００６】
ここで、我が国では、汚染された敷料は固体状放射性汚染物として扱われ、焼却又は放射線管理区域内で永久保管となる。焼却した場合にも、この焼却灰は、放射線管理区域内で永久保管する必要があった。また、動物が感染性の疾患に罹患していた場合も、敷料の廃棄が難しくなっていた。
このため、特許文献１に記載されたような従来の敷料を動物のシンチグラフィー等の診断の際に用いた場合、廃棄が難しいという重大な問題があった。
【０００７】
本発明は、このような状況に鑑みてなされたものであり、上述の問題を解消することを目的とする。
【課題を解決するための手段】
【０００８】
本発明の動物用敷料は、動物の飼育に用いる動物用敷料であって、加水分解処理により分解されることを特徴とする。
本発明の動物用敷料は、前記加水分解処理後に、加水分解されない不溶性物質の含有量が２０質量％以下となることを特徴とする。
本発明の動物用敷料は、前記加水分解処理により加水分解されるパルプを含有することを特徴とする。
本発明の動物用敷料は、前記パルプの含有量が、絶乾重量に対して８０％以上であることを特徴とする。
本発明の動物用敷料は、前記加水分解処理が、酵素による加水分解の処理であることを特徴とする。
本発明の動物用敷料は、前記酵素がセルラーゼであることを特徴とする。
本発明の動物用敷料は、絶乾重量１ｇに対して前記セルラーゼが５〜４０ＦＰＵ添加されることで加水分解されることを特徴とする。
本発明の動物用敷料は、前記パルプは、アルカリ酸素脱リグニン処理されたクラフトパルプであることを特徴とする。
本発明の動物用敷料は、前記パルプは、アルカリ酸素脱リグニン処理され、漂白処理されたクラフトパルプであることを特徴とする。
本発明の廃棄処理方法は、動物の飼育に用いる動物用敷料の廃棄処理方法であって、前記動物用敷料を加水分解処理により分解することを特徴とする。
【発明の効果】
【０００９】
本発明によれば、加水分解処理により分解されるように構成したことで、廃棄が容易な動物用敷料を提供することができる。
【発明を実施するための形態】
【００１０】
＜実施の形態＞
本発明者らは、シンチグラフィー等に用いて放射性廃棄物となったり、病気の動物の検査に使用した動物性敷料が感染性廃棄物となったりした場合であっても、廃棄が容易にできる敷料として、水溶性の敷料を開発するという着想を得た。水溶性であれば、放射性廃棄物としての保管スペースを減容化でき、更に、４０Ｂｑ／ｃｍ3以下あれば放流することも可能になる（平成１２年科学技術庁告示５号）ためである。また、水溶性であれば、オートクレーブ滅菌等も容易に可能となる。しかしながら、通常の紙やパルプは、厳密には水溶性ではなく、あくまでも水溶液中で分散しているだけであり、各種規制において放流可能にするための要求を満たさなかった。このため、本発明者らは、鋭意、実験を繰り返し、加水分解処理により分解されるパルプを基にした動物性用敷料を開発し、本発明を完成させるに至った。
具体的には、本発明の実施の形態に係る動物用敷料は、動物の飼育に用いる動物用敷料であって、加水分解処理により分解されることを特徴とする。すなわち、本発明の水溶性敷料は、使用後、加水分解処理により容易に水溶性の状態にすることができるため、廃棄が容易になるというメリットがある。具体的には、本発明の実施の形態に係る動物用敷料は、セルラーゼ等の酵素により、グルコース化（糖化）することで、水溶性化することが可能である。また、加水分解処理で生成された糖類を、エタノール等の有用物質の製造原料として使用することもできる。
以下で、本実施形態の動物用敷料の構成の詳細について説明する。
【００１１】
（動物用敷料の原料）
本発明の実施の形態に係る動物用敷料は、加水分解処理により加水分解されればよく、その原料が特に限定されるものではない。以下では、セルラーゼにより加水分解処理が可能なパルプを代表例として説明する。
まず、本実施形態で加水分解されるパルプの原料の詳細について説明する。本実施形態のパルプの原料としては、木本類、草本類由来のいずれのバイオマスであっても、特に制限なく使用することができる。
より具体的に説明すると、本実施形態の木本類由来のバイオマスとしては、広葉樹、針葉樹の木部、樹皮、枝、葉等、林地残材、間伐材、廃材等のチップ又は樹皮、製材工場等から発生するおが屑、街路樹の剪定枝葉、建築廃材等が挙げられる。また、草本類由来のバイオマス原料としては、ケナフ、麻、バガス、イネ等の茎、葉等の部位を、特に限定なく用いることも可能である。
本実施形態においては、これらのバイオマスの中で木本類由来のバイオマスを用いるのが好ましく、広葉樹、針葉樹の木部等のリグノセルロース系バイオマスを用いるのが特に好ましい。
【００１２】
本実施形態のバイオマスとして用いる木本類としては、広葉樹であっても、針葉樹であってもよい。
具体的に、本実施形態の広葉樹としては、例えば、Ｅｕｃａｌｙｐｔｕｓ属（Ｅｕｃａｌｙｐｔｕｓ  ｇｌｏｂｕｌｕｓ、Ｅｕｃａｌｙｐｔｕｓ  ｇｒａｎｄｉｓ、Ｅｕｃａｌｙｐｔｕｓ  ｕｒｏｇｒａｎｄｉｓ、Ｅｕｃａｌｙｐｔｕｓ  ｐｅｌｌｉｔａ、Ｅｕｃａｌｙｐｔｕｓ  ｂｒａｓｓｉａｎａ、Ｅｕｃａｌｙｐｔｕｓ  ｃａｍａｌｄｕｌｅｎｓｉｓ、Ｅｕｃａｌｙｐｔｕｓ  ｎｉｔｅｎｓ等）、Ａｃａｃｉａ属（Ａｃａｃｉａ  ｍｅｌａｎｏｘｙｌｏｎ、Ａｃａｃｉａ  ｍａｎｇｉｕｍ、Ａｃａｃｉａ  ｍｅａｒｎｓｉｉ等）、Ａｃｅа属（Ａｃｅа  ｒｕｂｒｕｍ、Ａｃｅа  ｓａｃｃｈａｒｕｍ等）、Ｆａｇｕｓ属（Ｆａｇｕｓ  ｓｙｌｖаｔｉｃａ等）、Ｂｅｔｕｌａ属（Ｂｅｔｕｌａ  ｖｅｒｒｕｃｏｓａ、Ｂｅｔｕｌａ  ｐａｐｙｒｉｆｅｒａ等）、Ａｌｎｕｓ属（Ａｌｎｕｓ  ｉｎｃａｎａ等）が挙げられるものの、これらに限定されない。
【００１３】
また、具体的に、本実施形態の針葉樹としては、例えば、Ｌａｒｉｘ属（Ｌａｒｉｘ  ｌｅｐｔｏｌｅｐｉｓ、Ｌａｒｉｘ  ｓｉｂｉｒｉｃａ、Ｌａｒｉｘ  ｄｅｃｉｄｕａ、等）、Ｐｉｎｕｓ属（Ｐｉｎｕｓ  ｒａｄｉａｔａ、Ｐｉｎｕｓ  ｓｙｌｔｒｉｓ等）、Ｐｓｅｕｄｏｔｓｕｇａ属（Ｐｓｅｕｄｏｔｓｕｇａ  ｍｅｎｚｉｅｓｉｉ等）、Ｃｒｙｐｔｏｍｅｒｉａ属（Ｃｒｙｐｔｏｍｅｒｉａ  ｊａｐｏｎｉｃａ等）、Ａｂｉｅｓ属（Ａｂｉｅｓ  ｂａｌｓａｍｅа等）、Ｔｓｕｇａ属（Ｔｓｕｇａ  ｃａｎａｄｅｎｓｉｓ等）、Ｐｉｃｅа属（Ｐｉｃｅа  ａｂｉｓ、Ｐｉｃｅа  ｇｌａｕｃａ等）が挙げられるものの、これらに限定されない。
【００１４】
また、本実施形態においては、これらのバイオマスは、単独、又は複数を組み合わせて使用してもよい。
また、バイオマスは、乾燥固形物であっても、水分を含んだ固形物であっても、スラリーであっても用いることができる。
ここで、本実施形態におけるバイオマスが乾燥固形物又は水分を含んだ固形物であれば、水と混合させスラリー状態にした後に供給することが好適である。
【００１５】
また、本実施形態においては、木本類の木部や樹皮の部位、又は、草本性植物の茎、枝葉等の部位を用いることも可能である。
【００１６】
（クラフトパルプの製造方法）
次に、本実施形態のパルプの製造方法について説明する。
本実施形態のパルプは、未晒クラフトパルプがアルカリ酸素脱リグニン処理されたクラフトパルプであることを特徴とする。
この未晒クラフトパルプは、クラフト蒸解法、ポリサルファイド蒸解法、ソーダ蒸解法、アルカリサルファイト蒸解法等の当業者に一般的な化学パルプ化法により製造することが可能である。たとえば、クラフト蒸解法を用いる場合、チップに含浸させる蒸解液は、硫化度を１０〜８０％、有効アルカリ添加率を絶乾木材質量当たり１０〜４０質量％、蒸解温度を１２０〜１８０℃、滞留時間（蒸解時間）を６０〜１２０分とするような条件下でクラフト蒸解を行い、未晒クラフトパルプを得ることが可能である。この際、用いる蒸解液に、当業者に一般的な蒸解助剤を加えてもよい。
また、アルカリ酸素脱リグニン処理では、上述の未晒クラフトパルプを、洗浄、粗選及び精選した後、当業者に一般的なアルカリ酸素漂白により脱リグニン化する。このアルカリ酸素漂白は、当業者に一般的な中濃度法又は高濃度法が適用可能である。本実施形態においては、例えば、パルプ濃度が８〜１５％で行われる中濃度法を用いることが好適である。
【００１７】
本実施形態のアルカリ酸素脱リグニン処理では、中濃度法によるアルカリ酸素漂白において、アルカリとしては苛性ソーダ又は酸化されたクラフト白液を用いることが可能である。この際、酸素ガスとしては、例えば、深冷分離法からの酸素、ＰＳＡ（Ｐｒｅｓｓｕｒｅ Ｓｗｉｎｇ Ａｄｓｏｒｐｔｉｏｎ）からの酸素、ＶＳＡ（Ｖａｃｕｕｍ Ｓｗｉｎｇ Ａｄｓｏｒｐｔｉｏｎ）からの酸素等を用いることが可能である。酸素ガスとアルカリとは、例えば、中濃度ミキサーにおいて中濃度のパルプスラリーに添加され、混合が十分に行われた後、加圧下でパルプ、酸素及びアルカリの混合物を一定時間保持できる反応装置へ送られ、脱リグニン化される。
【００１８】
本実施形態のアルカリ酸素脱リグニン処理では、酸素ガスの添加率は、絶乾パルプ質量当たり０．５〜３質量％、アルカリ添加率は０．５〜４質量％、反応温度は８０〜１２０℃、反応時間は１５〜１００分、パルプ濃度は８〜１５質量％であることが好適である。この他の条件は、当業者に一般的なものが適用できる。本実施形態においては、アルカリ酸素漂白を連続して複数回行い、脱リグニン化を進めることも可能である。
このように、脱リグニン化されることで、セルロース繊維が加水分解される際に、リグニンによりブロックされることが少なくなり、容易に加水分解されるパルプを製造することが可能となる。
【００１９】
また、本実施形態のアルカリ酸素脱リグニン処理されたパルプは、洗浄工程へ送られ、洗浄後、下記で説明するように、塩素漂白処理することも可能である。すなわち、本発明の実施の形態に係る動物用敷料は、パルプが、アルカリ酸素脱リグニン処理されたパルプを、更に、漂白処理してもよい。この漂白処理は、二酸化塩素、アルカリ、酸素、過酸化水素、オゾン、過酸等の当業者に一般的な漂白剤及び漂白助剤のいずれか、又は任意の組み合わせを用いて行うことが可能である。また、例えば、初段として二酸化塩素漂白やオゾン漂白を行い、二段目としてアルカリ抽出や過酸化水素の漂白処理を行うといった多段漂白処理を行うことも可能である。また、三段目以降に、二酸化塩素や過酸化水素を用いた漂白処理を行ってもよい。また、多段漂白処理中にエチレンジアミンテトラ酢酸（ＥＤＴＡ）、ジエチレントリアミンペンタ酢酸（ＤＴＰＡ）等によるキレート剤処理を行ってもよい。
このように漂白処理を行うことで、パルプのセルロースを包み込んでいるリグニンをほぼ完全に不活性化若しくは除くことができ、更に加水分解されやすくなるパルプを製造することが可能となる。
【００２０】
また、本発明の実施の形態に係る動物用敷料は、上述のパルプを適宜、乾燥させて成形されたり、紙としてロール状に加工されたものが適宜、断裁、加工されて製造される。この際、例えば、破砕機により、柔軟性を持たせた状態で、最大長縦横１ｍ／ｍ〜１００ｍ／ｍの不定形状に破砕してもよい。
【００２１】
（動物）
また、本発明の実施の形態に係る動物用敷料において、敷料を敷く対象となる動物は、いわゆるコンパニオンアニマル等のヒトにより飼われる各種の鳥獣である。このような動物としては、例えば、馬、豚、牛、山羊、羊、鳥等の使役用又は食用の家畜に加え、犬、猫、フェレット、ウサギ、サル、ハムスター、マウス、ラット、ペット用の鳥、は虫類、両生類、昆虫等の各種ペットとしての動物を含んでいる。また本実施形態の動物には、動物園や遊園地等で飼育されている各種動物、実験用動物等も含む。
また、本実施形態の動物用敷料を敷く床としては、上述の厩舎、牛舎、豚舎や、禽舎等の各種の畜舎、犬小屋等の各種ペットの飼育箱、ペット用のトイレ、飼育ゲージの床等であってもよい。また、これに加え、本実施形態の動物用敷料は、シンチグラフィー等を行う際の治療施設、治療機械の床に敷くことが可能である。
【００２２】
（動物のシンチグラフィー処理）
ここでは、本発明の実施の形態に係る動物のシンチグラフィー処理について説明する。本実施形態の動物のシンチグラフィーにおいては、放射性同位体として、例えば、テクネチウムを含む薬剤が使用される。たとえば、馬について診断する場合、テクネチウムを含む薬剤を投与し、３時間後に診断を開始し、診断自体は２時間程度で終了する。
この診断の際、鎮静剤を使用するものの麻酔の使用は行わない。このため、非常にリスクの少ない診断方法となる。これは、麻酔を使用した場合、ふらついた際に微小骨折箇所を悪化させる可能性があるためである。
体内に入ったテクネチウムは、放射能が経時的に減少（減衰）する。また、テクネチウムを利尿剤を与えて対外へ排出させる。また、テクネチウムの半減期は６時間と非常に短く、体重５００ｋｇの馬で５ＧＢｑのような標準的な投与量であっても、２００時間後にはｌＢｑ以下となる。すなわち、一般食品の基準は１００Ｂｑ／ｋｇ以下、飲料水で１０Ｂｑ／ｋｇ以下であり、ｌＢｑ以下は実質ゼロの扱いとなる。
これにより、日本では４８時間後（海外では２４時間後）には、馬を放射性管理施設の外に連れ出して帰すことが可能となる。
なお、シンチグラフィーにおいて、テクネチウム以外の放射性同位体を用いることも当然可能である。
【００２３】
（動物用敷料の製品特性）
ここで、本発明の実施の形態に係る動物用敷料の具体的な特性の構成について説明する。
本実施形態の動物性敷料は、加水分解処理後に、加水分解されない不溶性物質の含有量が２０質量％以下となることを特徴とする。このように加水分解により処理された際に、不溶性物質の含有量が２０質量％以下になることで、廃棄物の処理が容易になる。つまり、本実施形態の動物性敷料をシンチグラフィーに使用した場合、放射性廃棄物としての保管スペースを減容化でき、更に、４０Ｂｑ／ｃｍ3以下あれば放流することも可能になる。
また、本発明の実施の形態に係る動物用敷料は、パルプの含有量が、絶乾重量に対して８０％以上であることを特徴とする。パルプの含有量は、８５％以上が好ましく、９０％以上が更に好ましく、９５％以上が特に好ましい。パルプの含有量が８０％以上であることで、加水分解されない不要物質を減少させ、廃棄を容易にすることが可能である。また、パルプの含有量が８０％以上であることで、敷料としてのクッション性や保湿性等や排泄物の吸収性等の性能を高めることができる。
【００２４】
また、本発明の実施の形態に係る動物用敷料は、加水分解処理が、酵素による加水分解の処理であることを特徴とする。
ここで、本実施形態の動物用敷料は、例えば、この酵素がセルラーゼであることを特徴とする。このように酵素としてセルラーゼを用いる場合、トリコデルマ属等の菌類、真正細菌、カイコウオオソコエビやシロアリ等の節足動物、貝類等の由来の各種セルラーゼ等を用いることが可能である。また、これらの各種セルラーゼを、遺伝子組み換え細菌等で製造した酵素を用いることも可能である。さらに、セルラーゼの他に、ヘミセルラーゼ等の酵素も用いることが可能である。
また、本実施形態の動物用敷料をセルラーゼで加水分解する場合、パルプの絶乾重量１ｇに対してセルラーゼが５〜４０ＦＰＵ添加されることで加水分解されることが好適である。このセルラーゼの添加量、至適ｐＨ、添加する金属イオン量、反応温度、反応時間等は、上述のセルラーゼの酵素活性や性質等に合わせて調整し、適宜変化させてもよい。
【００２５】
（動物用敷料の廃棄処理方法）
また、本発明の実施の形態に係る動物用敷料の廃棄処理方法は、動物の飼育に用いる動物用敷料の廃棄処理方法であって、動物用敷料を加水分解処理により分解することを特徴とする。このように、敷料を加水分解処理することで、上述のように、残留物を減量化し、容易に廃棄処理することが可能である。
また、本実施形態の動物用敷料は、例えば、上述のようにパルプをセルラーゼ等の酵素により加水分解して糖化（グルコース化）し、水溶性化することで、保管スペースを減らし、場合によっては放流することも可能となる。
この際、加水分解処理の時間は、０．１〜１５０時間が好ましく、０．５〜１００時間がさらに好ましく、０．５〜７２時間がより好ましい。
また、加水分解処理する際のｐＨは、３．５〜１０．０の範囲が好ましく、４．０〜７．５の範囲がより好ましい。
たとえば、トリコデルマ属（Ｔｒｉｃｈｏｄｅｒｍａ）由来のセルラーゼを用いる場合、上述の添加量で、パルプ濃度５質量％、５０℃、１５〜２４時間で、ほぼ完全に糖化することが可能である。なお、５０℃で、敷料に含まれる菌が滅菌されない場合には、前処理として、アルコールや次亜塩素酸や過酸化水素等で滅菌してから用いることも可能である。
また、加水分解による糖化に関しては、バイオエタノール製造の設備及び方式を用いることも可能である。
また、攪拌を停止した後、タンク内の溶液をろ過等することで残留物を容易に分離することが可能である。この残留物は、乾燥後に処理可能である。
【００２６】
〔本実施形態の主な効果〕
以上まとめると、上述のように構成することで以下のような効果を得ることができる。  特許文献１に記載されたような従来の動物性敷料を馬のシンチグラフィー等に用いて放射性廃棄物となった場合、これらが膨大な量のまま、永久に放射性管理区域内で保管しなければならなかった。また、病気の動物の検査に使用した動物性敷料が感染性廃棄物となった場合にも、オートクレーブ等の殺菌処理が必要となり、廃棄物回収業者が回収できなかった。このため、使用済みの動物用敷料を焼却処分するとしても、獣医療法施行の則った焼却炉の設置が必要であり、減量はできるものの、焼却灰自体は永久保管又は廃棄業者による回収が必要となり、投資及びオペレーションコストがかかっていた。
これに対して、本発明の実施の形態に係る動物用敷料は、動物の飼育に用いる動物用敷料であって、加水分解処理により分解されることを特徴とする。これにより、本実施形態の水溶性敷料を使用後、加水分解処理により容易に水溶性の状態にすることができるため、廃棄が容易になる。また、各種規制の要件を満たせば、加水分解処理後の廃液については、放流することも可能となる。
また、本発明の実施の形態に係る動物用敷料の加水分解処理で生成された糖類を、エタノール等の有用物質の製造原料として使用することも可能となる。
【００２７】
また、従来、特に、シンチグラフィー検査では、馬等の動物を４８時間程度拘束することになるので、負担（ストレス）がかかっていた。しかしながら、敷料を使用しないで動物のシンチグラフィー等を行うと、馬等の脚に負担がかかるため、床のクッション性が重要であった。また、マット等を用いたとしても排泄物の処理が大変であり、これが老朽化した場合の処理も大変であった。
これに対して、本発明の実施の形態に係る動物用敷料は、従来の麦藁、オガ粉、紙屑等と同等以上のクッション性があるため、馬等の飼育される動物を固い床面の固さから護り、床からの冷えから護ることができ、動物のストレスを軽減することができる。また、本実施形態の動物用敷料は、マット等と異なり、糞尿などを効果的に捕捉して畜体や床を乾燥した状態に保って清潔を維持することが可能となり、上述のように廃棄物処理も簡単となる。これにより、動物のストレスを減少させて居住性を高めることができ、診断を容易に行うことが可能となる。
【００２８】
なお、本実施形態の熱水抽出物の原料となる草本類由来のバイオマスとして、ケナフ、稲藁、麦わら、コーンコブ、バガス等の農産廃棄物、油用作物やゴム用作物等の工芸作物の残渣及び廃棄物、草本系エネルギー作物のエリアンサス、ミスカンサスやネピアグラス等のバイオマスを用いることも可能である。また、工芸作物の残渣及び廃棄物として、例えば、ＥＦＢ（Ｅｍｐｔｙ  Ｆｒｕｉｔ  Ｂｕｎｃｈ）等を用いることもできる。
【００２９】
また、上述の実施の形態においては、動物用敷料の原料として、パルプを用いる例について記載したものの、加水分解される化合物であればこれに限られない。たとえば、パルプの代わりに、各種生分解性プラスチック、レーヨン、アミロース含有繊維等を用いることも可能である。また、パルプそのものではなく、製品として製造された紙を適宜破砕等して動物性敷料として用いることも可能である。
また、加水分解処理の際に、酵素以外の無機触媒を用いたり、各種化学物質、熱や圧力の付加等による加水分解を行ったりすることも可能である。
【実施例】
【００３０】
次に、図面に基づき本発明を実施例によりさらに説明するが、以下の具体例は本発明を限定するものではない。
【００３１】
＜製造例１＞
（水溶性敷料１の製造）
ユーカリ材チップを液比５、絶乾チップ質量当たり活性アルカリ２２％、蒸解液の硫化度２８％、蒸解温度１６０℃、滞留時間（蒸解時間）９０分の条件下でクラフト蒸解を行い、未晒クラフトパルプを得た。
この未晒クラフトパルプを絶乾質量で７０．０ｇを採取し、絶乾パルプ質量当たり苛性ソーダを２．０％添加し、次いでイオン交換水で希釈してパルプ濃度を１０質量％に調製し、パルプ懸濁液を得た。パルプ懸濁液を間接加熱式オートクレーブに入れ、９９．９％の市販の圧縮酸素ガスを注入してゲージ圧力０．５ＭＰａで、１００℃で６０分間、酸素脱リグニン化（アルカリ酸素漂白）を行った。酸素漂白終了後、ゲージ圧力が０．０５ＭＰａ以下になるまで減圧し、パルプをオートクレーブから取り出し、イオン交換水７リットルを用いて洗浄、脱水した。これにより、アルカリ酸素脱リグニン処理されたクラフトパルプを得た。
このアルカリ酸素脱リグニン処理されたクラフトパルプを絶乾質量で６０ｇ採取し、プラスチック袋に入れ、イオン交換水を用いてパルプ濃度を１０質量％に調製した後、絶乾パルプ質量当たり１．０％の二酸化塩素を添加し、温度が７０℃の恒温水槽に６０分間浸漬して二酸化塩素漂白を行った。得られたパルプをイオン交換水で３質量％に希釈した後、ブフナーロートで脱水、洗浄した。これにより、二酸化塩素漂白後のパルプを得た。
二酸化塩素漂白後のパルプをプラスチック袋に入れ、イオン交換水を加えてパルプ濃度を１０質量％に調製した後、絶乾パルプ質量当たり苛性ソーダを１．０％、過酸化水素０．２％を添加してよく混合した後、温度が７０℃の恒温水槽に９０分間浸漬して過酸化水素漂白を行った。得られたパルプをイオン交換水で３質量％に希釈した後、ブフナーロートで脱水、洗浄した。
【００３２】
過酸化水素漂白後のパルプをプラスチック袋に入れ、イオン交換水を用いてパルプ濃度１０質量％に調製した後、絶乾パルプ質量当たり二酸化塩素を０．３％添加し、温度が７０℃の恒温水槽に６０分間浸漬し、二酸化塩素漂白を行い、クラフトパルプを得た。このクラフトパルプを１０００ｋｇの水に懸濁し、５％のスラリーを調製した。このスラリーからパルプシート（水分含量５質量％）を調製し、得られた敷料を「水溶性敷料１」とした。
【００３３】
＜製造例２＞
（水溶性敷料２の製造）
ユーカリ材チップを液比５、絶乾チップ質量当たり活性アルカリ２２％、蒸解液の硫化度２８％、蒸解温度１６０℃、滞留時間（蒸解時間）９０分の条件下でクラフト蒸解を行い、未晒クラフトパルプを得た。
未晒クラフトパルプを絶乾質量で７０．０ｇを採取し、絶乾パルプ質量当たり苛性ソーダを２．０％添加し、次いでイオン交換水で希釈してパルプ濃度を１０質量％に調製し、パルプ懸濁液を得た。パルプ懸濁液を間接加熱式オートクレーブに入れ、９９．９％の市販の圧縮酸素ガスを注入してゲージ圧力０．５ＭＰａで、１００℃で６０分間、酸素脱リグニン化（アルカリ酸素漂白）を行った。酸素漂白終了後、ゲージ圧力が０．０５ＭＰａ以下になるまで減圧し、パルプをオートクレーブから取り出し、イオン交換水７リットルを用いて洗浄、脱水し、クラフトパルプを得た。このクラフトパルプを１０００ｋｇの水に懸濁し、５％のスラリーを調製した。このスラリーからパルプシート（水分含量５質量％）を調製し、得られた敷料を「水溶性敷料２」とした。
【００３４】
＜実施例１＞
製造例１で作成した水溶性敷料１を馬の敷料として４８時間使用した。使用後の敷料４０ｋｇと水８００Ｌをタンクに供給し、攪拌機で離解した。離解した懸濁液にセルラーゼ溶液（ジェネンコア社製Ｖｉｓｃａｍｙｌ  Ｆｌｏｗ）３Ｌ（１５０ＦＰＵ／ｍｌ）を添加し、５０℃（ｐＨ５．５）で１８時間攪拌した。１８時間後に攪拌を停止し、タンク内の溶液を８０メッシュのスクリーンでろ過した。スクリーン上に残存する残渣の重量（絶乾重量）を測定した。
【００３５】
＜実施例２＞
製造例２で作成した水溶性敷料２を馬の敷料として用いて、実施例１と同様の方法で試験した。
【００３６】
＜比較例１＞
実施例１において、水溶性敷料１の代わりに敷料として稲わらを用いた以外は全て実施例１と同様の方法で試験した。
【００３７】
＜比較例２＞
実施例１において、水溶性敷料１の代わりに敷料として麦わらを用いた以外は全て実施例１と同様の方法で試験した。
【００３８】
＜比較例３＞
実施例１において、水溶性敷料１の代わりに敷料としておがくずを用いた以外は全て実施例１と同様の方法で試験した。
【００３９】
＜比較例４＞
実施例１において、水溶性敷料１の代わりに敷料として新聞紙を用いた以外は全て実施例１と同様の方法で試験した。
【００４０】
＜比較例５＞
実施例１において、水溶性敷料１の代わりに敷料として板紙を用いた以外は全て実施例１と同様の方法で試験した。
【００４１】
【表１】
2018068220.tif 000002
【００４２】
このように、従来の植物性の敷料に用いられるものと同様の比較例１〜３の稲わら、麦わら、おがくず等は、加水分解により十分分解できなかった。また、特許文献１等に記載されたような従来の敷料に用いられる新聞紙、板紙等の通常の紙においても、十分に水溶性となるよう加水分解できなかった。
これに対して、実施例１では、糖化後の残渣重量が０．０１ｋｇ以下、敷料に対する残留物（残渣）の含量が０．０２５％以下となり、ほぼ完全に水溶化することが可能であった。また、実施例２においても、残渣重量が０．１６ｋｇ、残留物（残渣）が０．４％以下となり、廃棄物として放流可能な水溶性の条件を満たしていた。
【００４３】
以上をまとめると、実施例１の水溶性敷料１及び実施例２の水溶性敷料２は、稲わら、麦わら、おがくず、新聞紙、板紙と比較し、糖化後の残渣が極めて少なかった。これらの結果から、水溶性敷料は、糖化処理により容易に水溶性の状態にすることができた。
【００４４】
なお、上記実施の形態の構成及び動作は例であって、本発明の趣旨を逸脱しない範囲で適宜変更して実行することができることは言うまでもない。
【産業上の利用可能性】
【００４５】
本発明は、動物の診断用途等の際に廃棄物を少なくする敷料を提供することで、産業上利用することができる。